(57)【特許請求の範囲】
【請求項１】
水道供給水から相対的に浄化された水を生成するための浄化手段と、
上記浄化水を受け入れて貯溜するための貯水槽と、
上記浄化水をシステムから配水するための配水手段と、
上記貯水槽内の浄化水のレベルに応答する導入シャットオフバルブ手段であって、上記貯水槽内の浄化水のレベルがいっぱい状態より低いときに上記浄化手段への水道水の流れを許す開放位置と、上記貯水槽内の浄化水のレベルがいっぱい状態であるときに上記浄化手段への水道水の流れを防止する閉じた位置とに移動できるバルブ部材を含んでいるシャットオフバルブ手段と、
浄化水の導電率をテストしてその導電率が受け入れられない水質を指示するときに不満足なシステム性能の指示を与えるための水質監視装置であって、上記バルブ部材が上記開放位置へ移動するときと、その後に上記バルブ部材が上記閉じた位置へ移動するときとの間の実質的に中間サイクルの時点で導電率の読みを得るためのテスト手段と、上記導電率の読みを記憶するメモリ手段と、上記読みが受け入れられない水質を指示するときに上記導電率の読みを指示するためのインジケータ手段とを含んだ監視装置と、
を備えたことを特徴とする浄水システム。
【請求項２】
上記浄化手段は逆浸透ユニットを含む請求項１に記載の浄水システム。
【請求項３】
上記配水手段は給水弁を備え、更に、上記インジケータ手段は、上記給水弁の操作に応答して、上記メモリ手段に記憶された導電率の読みを指示する請求項１に記載の浄水システム。
【請求項４】
上記インジケータ手段は、更に、上記導電率の読みが受け入れられる水質を指示するときにそれを指示するための手段を備えた請求項１又は３に記載の浄水システム。
【請求項５】
上記水質監視装置は、上記バルブ部材が上記閉じた位置から上記開いた位置へ移動するのに応答して上記テスト手段をリセットするためのスイッチ手段を備え、該スイッチ手段は、更に、上記バルブ部材が上記開いた位置から上記閉じた位置に向かう実質的に中間の点へ移動するのに応答して上記テスト手段を作動して導電率の読みを得る請求項１に記載の浄水システム。
【請求項６】
上記水質監視装置はバッテリ電源を備え、上記インジケータ手段は、上記バッテリ電源が所定のスレッシュホールドより低い電圧レベルまで下がったときにこれを指示するための手段を備えている請求項１に記載の浄水システム。
【請求項７】
上記浄化手段へ供給される水道水をフィルタするための交換可能な前置フィルタカートリッジを有する前置フィルタ段を更に備え、上記水質監視装置は、更に、上記前置フィルタカートリッジにまたがる圧力低下を検出するための手段を備え、上記インジケータ手段は、上記圧力低下が所定の限界を越えるときにそれを指示する手段を含む請求項１に記載の浄水システム。
【請求項８】
上記水質監視装置は、更に、給水弁が開く回数をカウントするためのカウンタ手段と、上記バルブ部材が閉じた位置に向かって移動するたびに上記カウンタ手段をリセットする手段とを備え、上記インジケータ手段は、上記カウンタ手段がシステムの機能不良を表す所定の限界に達したときにこれを指示するための手段を含む請求項３に記載の浄水システム。
【請求項９】
上記水質監視装置は、更に、上記配水手段によって付与される水の量を監視するための流量監視手段を備え、上記インジケータ手段は、所定量の水が付与されたときにこれを指示するための手段を含む請求項１に記載の浄水システム。
【請求項１０】
システムの初期設定設置中に受け入れられる水質を表す導電率の読みを記憶するための手段を更に備えた請求項１に記載の浄水システム。
【請求項１１】
上記テスト手段は、
浄化水に接触する純粋な水の電極を含む監視回路であって、作動信号に応答してテストパルスを上記純粋な水の電極へ付与し、浄化水の水質を表す導電率の読みを得るための手段を含むような監視回路と、
上記作動信号を発生して上記監視回路へ付与するための充電回路と、
上記貯水槽内の浄化水の第１レベルに応答して上記充電回路が上記作動信号を発生するように上記充電回路を準備するリセット手段であって、上記貯水槽内の浄化水の第２レベルに更に応答して上記充電回路が上記作動信号を上記監視回路へ付与するようにさせて導電率の読みを得るようにさせるリセット手段とを備えており、上記作動信号は、実質的にバルブ部材が閉じた位置から開いた位置へ移動した後であって且つ実質的にバルブ部材が閉じた位置へ復帰移動する前の時点において上記監視回路へ付与される請求項１に記載の浄水システム。
【請求項１２】
上記リセット手段は上記バルブ部材の位置に応答するものであって、上記バルブ部材が閉じた位置から開いた位置へ移動するのに応答して上記充電回路を準備すると共に、上記開いた位置と閉じた位置との間の一般的に中間サイクルの位置へ上記バルブ部材が復帰移動するのに応答して上記充電回路が上記作動信号を上記監視回路へ付与するようにさせる請求項１１に記載の浄水システム。
【請求項１３】
上記リセット手段は、上記バルブ部材の至近に取り付けられて上記バルブ部材の移動により操作されるリセットスイッチを備えている請求項１１に記載の浄水システム。
【請求項１４】
上記テスト手段は、実質的に上記シャットオフバルブが開いた位置へ移動した後であって且つ実質的にシャットオフバルブがその後に閉じた位置へ移動する前の時点において単一の導電率の読みを得る請求項１に記載の浄水システム。
【請求項１５】
水道供給水から相対的に浄化された水を生成するための浄化手段と；上記の浄化水を受け取って貯溜するための貯水槽と；浄化水をシステムから配水するための配水手段と；上記貯水槽内の浄化水のレベルがいっぱいの状態より低いときに上記浄化手段への水道水の流入を許す開放位置と、上記貯水槽内の浄化水のレベルが実質的にいっぱい状態であるときに上記浄化手段への水道水の流入を防止する閉じた位置との間で移動できる導入シャットオフバルブとを有する浄水システムに組み合わされる水質監視装置において、
上記シャットオフバルブが開いた位置へ移動するのに応答して、上記シャットオフバルブが開いた位置にある時間巾を計時するタイマー手段と、
上記導入シャットオフバルブが閉じた位置へ向かって移動するたびに上記タイマー手段をリセットするための手段と、
上記タイマー手段がシステムの機能不良を表す所定の限界に達したときにこれを指示するディスプレイ手段とを備えたことを特徴とする水質監視装置。
【請求項１６】
上記タイマー手段は、上記シャットオフバルブが開位置へ移動することで始まりそして上記シャットオフバルブが閉位置へ移動することで終わるように給水弁が開けられる回数をカウントするためのカウンタ手段を備えている請求項１５に記載の水質監視装置。
【発明の詳細な説明】
【０００１】
【産業上の利用分野】
本発明は、一般に、通常に供給される水道水又は給水から溶解したイオン物質及び他の汚染物を除去するための逆浸透ユニット等を有する形式の浄水システムの改良に係る。より詳細には、本発明は、浄水システムに組み込まれる信頼性の高い純度又は水質監視装置であって、逆浸透ユニットの繰り返し動作に応答して逆浸透ユニットの作動効率を正確に決定し指示するような監視装置に係る。
【０００２】
【従来の技術】
浄水システムは、一般に、通常の水道水又は給水の到来する供給を調理や飲料等に使用するための相対的浄化された水に変換する逆浸透ユニットを有する形式のものが良く知られている。一般的に述べると、逆浸透ユニットは、半透過膜を備えていて、水道水供給の一部分がこれに通され、この膜が本質的にフィルタとして働いて、溶解した金属イオン等や不所望な粒状物質を水道水から除去する。動作中に、これらの不純物は水流の一部分から除去されて、別の流れ部分に集中され、これは通常廃水として下水へ放出される。このようにして形成された相対的浄化された水の供給は、通常は、一時的に貯水する貯水槽又は容器へ通され、そこで、一般にキッチンシンク等の付近に配置された適当な給水弁を操作することにより配水及び使用の準備がなされる。浄化された水の供給システムの特定の構造及び動作は異なるが、このようなシステムは、米国特許第４，５８５，５５４号；第４，５９５，４９７号；第４，６５７，６７４号；及び第５，０４５，１９７号に示されて説明されたものによって例示される。
【０００３】
多くの場合に、逆浸透ユニットによって生成された浄化された水の純度の指示を得ることが望まれる。既に述べたように、逆浸透ユニット内の半透過膜の作動効率の指示を得ることも望まれる。この点について、水の純度のレベルは、逆浸透ユニットの膜の清潔さ及び生の状態で入ってくる水道供給水の汚染度のような多数のファクタによって左右され、ひいては、それに基づいて変化する。生成された浄化水の純度レベルは、通常、導電率の測定によって指示され、即ち比較的高い導電率は比較的低い抵抗に関連し、ひいては、逆浸透ユニットによって除去されなかった残留イオン物質の実質的な量を反映する。これに対し、比較的低い導電率レベルは、イオン物質及び他の汚染物が高い割合で除去されたことを指示する。浄化水がある浄化基準に合致しないことは、給水システムが適切に動作しないか、さもなくば、半浸透膜を清掃又は交換する必要があることを示す。
【０００４】
従来、典型的な浄化システムにおいて生成された浄化水の導電率レベルを測定するのに使用するためのテスト装置及びシステムが提案されている。ある場合には、生成された浄化水の導電率が、到来する水道水の導電率と比較され、流入する水道水の状態に比例する逆浸透ユニットの作動効率が指示される。一般的に述べると、このようなテスト装置及びシステムは１つ以上の電極を使用し、これらの電極は、浄化された水に接触し、そして多くの場合は、到来する給水に接触して、水の所望の導電率の読みを得る。これらの電極は、適当な作動回路及び電源に接続され、例えば、１つ以上のインジケータライトを点灯することにより指示することのできる所望の純度レベルの読みを得る。
【０００５】
公知の水質監視テスト装置は、例えば、米国特許第３，９９０，０６６号に開示されたように、浄化された水をテストする際にサービスマンが使用するよう意図された内蔵ポータブルユニットを一般に備えている。最近、一般の住居やオフィス環境においてこっそり使用するように構成された逆浸透浄化システムには、このシステムに直接合体される監視回路が設けられており、これらは、例えば、米国特許第４，６２３，４５１号；第４，８０６，９１２号；第３，８３８，７７４号；第４，７０８，７９１号；第５，０５７，２１２号；及び第５，１４５，５７５号に開示されている。このようなテスト装置のインジケータライトは、一般に、生成された浄化水の水質が受け入れられないときに付勢される赤又は黄色のライトと、導電率の読みが受け入れられる水質を反映するときに付勢される緑のライトとを含む。
【０００６】
【発明が解決しようとする課題】
これらのテスト装置は、便利にも、逆浸透ユニットの性能に関する重要な情報を与えるが、典型的な逆浸透ユニットの繰り返し動作は、しばしば誤ったテストの読みを生じさせる。より詳細には、多くの逆浸透システムは導入シャットオフバルブを使用し、該バルブは、生成される浄化水の圧力に応答して、貯水槽が実質的にいっぱいの状態に達したとき水道水の流入をオフにする。この導入シャットオフバルブは、便利にも、貯水槽がいっぱいであるときにシステムを通る水の流れを停止し、連続的に廃水が下水へ流れるのを防止する。しかしながら、導入シャットオフバルブが閉じている時間中は、浄化水を生成するに必要な逆浸透膜の間の圧力差が実質的に取り去られる。その結果、逆浸透膜を横切る汚染物のある程度の移動又は溶解（リーチング）が生じ、膜と貯水槽との間のシステム流路内に存在する僅かな又は分離された量の既に生成された浄化水の不純物レベルを増加させる。これら流路は、純粋な水の電極のための便利な取付場所を与え、従って、これらの水質の悪い水の分離された量の１つに電極が接触したときに測定が行われた場合には受け入れられない高い導電率の読みが生じることになる。導入シャットオフバルブを再び開くに充分な浄化水の部分が給水弁等を経て配水されたときにシステムの水の流れが再開すると、水質の悪い水の分離された量が他の浄化水と直ちに混じり合い、従って、実際に配水される水の全体的な水質は、全く受け入れられるものとなる。しかしながら、多くのテスト装置は、給水弁が開くのに応答して直ちに導電率の測定を行うために、導入シャットオフバルブが長時間閉じていた場合には読みが不正確なものとなる。他のテスト装置は、設定された時間間隔で導電率の読みを得ることによって動作し、従って、導入シャットオフバルブが閉じたとき又は開いた直後に得られる読みは、不正確なものとなる。
【０００７】
それ故、浄水システムの逆浸透ユニットの動作性能をテストしそして指示するための水質監視装置には更に改良を行うことが強く要望され、特に、逆浸透ユニットの繰り返し動作に応答して正確で且つ信頼性の高いテストの読みを生じるような水質監視装置が要望される。本発明はこれらの要望を満たすと共に、更に別の関連効果を発揮する。
【０００８】
【課題を解決するための手段】
本発明によれば、到来する水道水の供給から相対的浄化された水を生成するための逆浸透ユニットを有する形式の浄水システムに使用する改良された水質監視装置が提供される。浄水システムは、生成された浄化水を受け入れて貯溜する貯溜貯水槽であって、給水弁等を経て直ちに配水するような貯水槽を備えている。水道水導入シャットオフバルブは、貯溜貯水槽内の水位に応答して、貯水槽が実質的にいっぱいな状態に達したときに逆浸透ユニットへの水道水の流れを遮断する。水質監視装置は、好ましい実施例ではシャットオフバルブの開閉移動により表される逆浸透ユニットの繰り返し動作に応答して、生成された浄化水の純度レベルを決定するテスト回路を備えている。このテスト回路は、実質的に中間サイクルの時点で、即ち実質的にシャットオフバルブが開位置へ移動した後であって且つ貯水槽がいっぱいになったときに実質的にシャットオフバルブが閉位置へ復帰移動する前に、水道水と、生成された浄化水との水の導電率の読みを得るように構成される。上記のいわゆる中間サイクル状態の間に、逆浸透ユニットは、浄化水を実質的に最適な効率で生成し、従って、浄化水の実際の水質を表す正確な導電率テストの読みを得ることができる。
【０００９】
本発明の好ましい形態によれば、導入シャットオフバルブは、水道水の供給圧力と、貯溜貯水槽内に生成される浄化水の圧力とに比較応答するための差動領域を両面に画成するダイヤフラム取付バルブ部材を備えている。貯溜貯水槽が実質的にいっぱいの状態に近づくにつれて、生成される浄化水の圧力レベルが増加する。生成される浄化水の圧力レベルが実質的にいっぱいの貯溜状態を表す点に達すると、シャットオフバルブはその閉じた位置へ移動し、これにより、逆浸透ユニットからの水道水の供給を遮断し、システムをオフにする。その後に充分な量の水が貯溜貯水槽から配水されると、生成された浄化水の圧力レベルが充分に下がって、導入シャットオフバルブはその開いた位置へ移動する。その結果、逆浸透ユニットへの水道水の流入が再開し、これに対応して純粋な水の生成が再開される。この一般的な形式の浄水システムは、参考としてここに取り上げる米国特許第５，０４５，１９７号に開示されている。重要なことに、オフ状態の間に、逆浸透ユニットにまたがって通常存在する圧力差が取り去られ、既に除去された汚染物がある程度移動して、既に生成された浄化水へと溶解し又はそこへ移動し得ることになる。
【００１０】
本発明は、システムのオフサイクル中に、生成された浄化水へ汚染物が移動して、局部的な水の量が、受け入れられないほど高い導電率レベルをもつことになり得ることを認識する。これらの局部的な水の量は他の浄化水と相互に混合し、実際に配水される水が受け入れられる水質になる傾向はあるが、これらの局部的な水の量が水質監視装置の導電率電極を通過するときには、不正確な導電率の読みが生じることになる。
【００１１】
従って、本発明においては、生成された浄化水の水質を反映する導電率の読みは、実質的にシャットオフバルブが開位置へ移動した後の時点に得られ、受け入れられない水質の局部的な水の量は、テストの読みが得られる前に、監視電極を通り越して移動できるようにされる。同様に、本発明は、実質的にシャットオフバルブが再び閉じる前にテストの読みが得られるよう確保する。このように、導電率の読みは、逆浸透ユニットが実質的に全圧力差状態で動作するときであって且つ局部的な又は分離された量の低水質の水が純粋な水の電極を通り越してフラッシュされた後の時点に限定される。その結果、導電率の読みは、逆浸透ユニットの実際の作動効率を正確に反映する。
【００１２】
本発明のテスト回路は、好ましい実施例によれば、導入シャットオフバルブが閉じた位置から開いた位置へ移動してシステムの流れ及び純粋な水の生成を再開できるようにするたびに、リセットスイッチによって作動準備される。好ましい形態においては、これは、導入シャットオフバルブが開くように変位するのに応答してリードスイッチ等が移動することにより行われる。シャットオフバルブが閉じた位置に向かって戻り移動すると（これは貯水槽がいっぱいになるときに比較的ゆっくりと生じる）、テスト回路をトリガーするように作用してテストパルスを発生し、このパルスを用いて、水道水供給と浄化水供給の比較導電率の読みが得られる。このテストパルスは、導入シャットオフバルブの開き移動とその後の閉じ移動との間の実質的な中間サイクルである時点で付与される。テスト結果は、好ましい形態では、水を出すために給水弁が開けられるたびに、後で表示するようにメモリに記憶される。
【００１３】
本発明の別の特徴によれば、浄水システムは、流入する水道水から粒子を除去するために逆浸透ユニットの上流に配置された前置フィルタ段を備え、このようにしないと、この粒子が逆浸透膜を早期に詰まらせたり欠陥を招いたりすることがある。テスト回路は、この前置フィルタ段にまたがる圧力低下を検出する圧力センサであって、この圧力低下が取り外し式の前置フィルタカートリッジを交換すべきレベルに達したときを指示するための圧力センサを備えている。
【００１４】
更に、テスト回路は、シャットオフバルブが著しい時間中開放状態のままであることにより表されるシステム欠陥を指示する手段を備えている。テスト回路のためのバッテリ電源が便利に設けられ、バッテリの低電力を指示するための手段も設けられる。
【００１５】
本発明の別の特徴によれば、給水弁等を開くことによる浄化水が出るのを検出するための新規な流れスイッチが提供される。この改良された流れスイッチは、システムから所定量の水が出されたときに後置フィルタカートリッジを交換できるように配水した水の量を追跡するための手段を備えている。
【００１６】
本発明の他の特徴及び効果は、本発明の原理を一例として示す添付図面に関連した以下の詳細な説明から明らかとなろう。
【００１７】
【実施例】
例示のための図面に示されたように、図１に参照番号１０で一般的に示された浄水システムは、通常の水道水供給管１４等から相対的に浄化された水を生成するための逆浸透ユニット１２を備えている。生成された浄化水は、適当な貯溜貯水槽１６内に収集され、及び／又は給水弁１８等により需要時に配水される。更に、参照番号２０によって一般的に示された水質監視装置が設けられており、これは、生成された浄化水の純度レベルをテストすると共に、例えば、適当なインジケータライト（図１には示さず）を点灯することによって純度レベルを指示する。水質監視装置２０は、逆浸透ユニット１２の通常の繰り返し動作に応答してシステム性能を表す正確且つ確実なテストの読みを与えるように動作する。
【００１８】
浄水システム１０は、住居及び他の家庭内用途に使用して浄化された水を容易に利用供給するように特に構成されている。浄水システム１０は、この分野で良く知られたように、逆浸透の原理を利用して、流入する水道水１４を一対の流出水に各々変換する。この一対の流出水は、汚染物が除去された相対的に浄化された水と、汚染物及び／又は不純物が集中した廃水又は排水とで構成される。生成された浄化水は、通常、収集及び貯溜のために貯溜貯水槽１６に接続されると共に、飲料、調理等のために需要時に配水するための給水弁１８に接続される。冷凍製氷機（図示せず）等への１つ以上の並列接続された配水路を設けることもできる。「塩水」ともしばしば称する排水は、通常、適当な下水へ放出される。
【００１９】
図１及び２は、参考としてここに取り上げる米国特許第５，０４５，１９７号に開示された浄水システムに適合する好ましい構成の浄水システム１０を示している。図示されたように、浄水システム１０は、流入する水道水１４を上記したように分離された浄化水供給及び排水供給に変換するための３つの処理段２４、２６及び２８を支持する一体化マニホールド２２を備えている。この点に関し、第１の段２４は、水道水の流入１４を前置フィルタカートリッジ３０（図２）に貫通流通過させてそこから粒子を除去するための初期濾過段即ち前置フィルタ段を構成する。それにより得られた前置フィルタに通された水道水は、第２段２６へ通過し、該第２段は、逆浸透ユニット１２を構成し、逆浸透半透過膜３２（図２）を備えている。この分野で知られたように、適当な圧力状態が存在する場合には、膜３２は、水道水の流入１４を浄化水の供給及び排水の供給に分離するように働く。排水の供給管は、適当な下水フィッティング３４（図１）を経て下水へ通され、一方、生成された浄化水は、後置フィルタ段を構成する第３の段即ち最終的な段２８へ接続される。浄化水は、後置フィルタカートリッジ３６を通りそして更にタンクフィッティング３８を通って流れて、貯水槽１６内に収集及び貯溜されるか、或いは配水フィッティング４０を通して流れて、給水弁１８等を経て付与及び配水される。
【００２０】
導入シャットオフバルブ４２は、マニホールド２２によって支持され、貯水槽１６内の生成された浄化水のレベルに応答して、システムを「オン」状態と「オフ」状態との間で繰り返し動作する。より詳細には、図２ないし４に最も良く示されたように、導入シャットオフバルブ４２は、逆浸透ユニット１２への水道水の流入を各々許したり阻止したりするために開移動及び閉移動するように弾力性ダイヤフラムに取り付けられた差動領域のバルブ部材４４を備えている。好ましい形態においては、バルブ部材４４の下方の比較的小面積の面は、前置フィルタ段２４の下流側に関連した放出ポート４６に直接連通することにより、水道水の供給圧力を受ける。バルブ部材４４の上方の比較的大きな表面積は、逆浸透ユニット１２から放出される生成された浄化水に圧力ポート４８を経て接続された圧力チャンバ４７内の生成された浄化水の圧力に曝される。従って、チャンバ４７内の圧力は、貯水槽１６内の浄化水の圧力に対応する。バルブ部材４４は、これに加えられる圧力差に応答して、貯水槽１６が実質的にいっぱいな状態に達したときに水道水の流入を遮断する。これに対し、例えば、給水弁１８を開くことによって充分な量の浄化水が付与されて貯水槽１６内の圧力が低下するときには、バルブ部材はこの同じ圧力差に応答して開き、水道水の流入を再開できるようにする。
【００２１】
より詳細には、導入シャットオフバルブ４２が完全開放位置（図３）にあって浄化水を生成するように逆浸透ユニット１２が通常に動作する間には、逆浸透ユニット１２の膜３２が実質的な圧力差を受け、浄化水を生成できるようにする。生成された浄化水は貯水槽１６へ流れるように接続され、貯水槽は一般に内部の弾力性の嚢４９（図１）を備え、これは、貯水槽の内部を、ガス充填圧力チャンバと、浄化水を受け入れて貯溜するための水チャンバとに細分化する。貯水槽１６が実質的にいっぱいの状態に近づくにつれて、嚢４９が圧力チャンバの容積を減少するように変形し、これにより、浄化水に加えられる圧力が徐々に増加される。浄化水に加えられる圧力が増加するにつれて、逆浸透ユニット１２にまたがる圧力差は徐々に減少する。逆浸透ユニットの膜３２の作動効率の一部分は、これに加えられる圧力差の大きさによって左右される。この同じ圧力差が上記のようにバルブ部材４４にまたがって加えられる。
【００２２】
浄化水の生成に満足なシステム性能を確保するために、シャットオフバルブ４２は、膜３２にまたがるこの圧力差が所定のしかも実質的に最小のレベルに達したときに閉じるように構成される。例えば、約６０ｐｓｉの水道水供給圧力を受けるシステムにおいては、シャットオフバルブ４２のバルブ部材４４は、生成された浄化水の圧力が約４０ｐｓｉの所定のスレッシュホールドに達したときに閉じるような適当な差の上方及び下方表面積をもつように構成される。この閉じる動作は、バルブ部材４４の大きな上方の表面積を生成された浄化水の圧力に露出するのに対して、バルブ部材の比例的に小さい下方の表面積をポート４６を経て水道水の供給圧力に露出することにより達成される。
【００２３】
この形状では、浄化水の圧力が実質的にいっぱいの貯水槽１６を表すレベルより下がったときに、バルブ部材４４にまたがる圧力差がバルブ部材を開状態（図３）へと変位するに充分なものとなる。シャットオフバルブ４２は、閉じた位置においてバルブ部材４４の下縁により係合される環状の弁座５４を設けることにより実質的に全開位置へスナップアクション移動するよう便利に構成され、弁座５４のまわりには環状の回廊部５６があって、これが逆浸透ユニット１２へ通じる流れ通路５８に接続されている。この構造では、バルブ部材４４が若干開いた状態へ移動するや否や、水道水圧力に曝される断面積が著しく増加し、全開位置への効果的なスナップアクション移動を生じさせる。従って、逆浸透ユニット１２へ水道水１４が供給されて、浄化水の生成を対応的に再開させる。更に、このシャットオフバルブ構造は、シャットオフバルブが開くまでにいっぱいの貯水槽から相当量の浄化水が付与されるように確保し、これにより、その後にシステムは実質的な時間中動作して貯水槽を再びいっぱいにする浄化水を生成するように確保する。例えば、ここに示す実施例では、回廊部５６と組み合わされるポート４６の流れ面積は、導入シャットオフバルブが開くまでに全部で３ガロンの貯水槽から約１ガロンの配水を与える。
【００２４】
貯水槽１６がいっぱいの状態に接近するにつれて、バルブ部材４４にまたがる圧力差はゆっくりとした割合で減少する。というのは、浄化水の生成が比較的ゆっくりとした流量で進むからである。結局、バルブ部材４４にまたがる圧力差はバルブ部材４４をその閉じた位置に向かってゆっくりと変位させる状態に接近する。この圧力差が減少しそしてバルブ部材４４がゆっくりと閉じた位置へ移動するにつれて、逆浸透膜３２の動作効率も低下することが知られている。
【００２５】
本発明の水質監視装置２０は、浄水システムの上記の繰り返し動作に応答し、逆浸透ユニット１２が実質的に最大動作効率にあるときにシステムの動作サイクルの限定された部分内に水質テストの読みを得る。即ち、本発明は、導入シャットオフバルブ４２が閉じると、逆浸透膜３２にまたがる圧力差が除去され、既に除去された汚染物及び不純物の若干が膜を横切って溶解又は移動し、システムマニホールド２２の純粋な水の流路内にある既に生成された浄化水の局部を汚染し得ることを認識するものである。従って、本発明の改良された水質監視装置は、水質の低い局部的な水のポケットの偶発的な不正確な読みを回避するために、導入シャットオフバルブが閉じた時間又はそれが開いた直後の時間内にテストの読みを得ることがないようにする。同様に、本発明は、シャットオフバルブが閉じた状態の付近にある時間中にテストの読みを得ることはない。というのは、圧力差の低下により、逆浸透ユニットが最大動作効率未満で機能するからである。むしろ、全てのテストの読みは、逆浸透ユニットにまたがって実質的に最適な圧力差がかかる状態のシステム動作中（ここでは、「中間サイクル」と称する）に得られる。テストの読みは、その後に周期的に表示するように、例えば、水を出すために給水弁１８を開くたびに表示するように、メモリに記憶される。
【００２６】
逆浸透ユニット１２の繰り返しの動作に関連した水質監視装置２０の動作は、導入シャットオフバルブ４２に関連したリセットスイッチ６０により得られる。図２ないし４に示すように、本発明の好ましい形態によれば、シャトルピストン６２が、シャットオフバルブの上に取り付けられたリードスイッチ６６に接近関係で磁石６４を支持する。力の弱いスプリング６８が設けられ、シャトルピストン６２及びその上の磁石をダイヤフラム取付のバルブ部材４４と共に前後に先導移動するよう確保する。リードスイッチ６６は、バルブ部材４４が全開位置へ移動するたびに閉じるように配置される。バルブ部材４４がその閉じた位置に向かってゆっくりと移行して全閉状態に対して約半分の点を通過すると、磁石６４がリードスイッチ６６を開状態に切り換える。リードスイッチ６６のこの開閉移動は、以下で詳細に述べるように、水質監視装置２０を動作するように働く。リードスイッチ６６は、シャットオフバルブ部材４４がその閉じた位置に向かって約半分のるときに開状態へと移動されるが、これは、バルブ部材が開くときとその後に閉じるときの間の半分より大きな時点であり且つそのような時点でしばしば生じることを理解されたい。
【００２７】
図５は、水質監視装置の構造及び機能的動作を示すブロック回路図である。より詳細には、リードスイッチ６０は、９ボルトバッテリ７０のような便利な適当な電源に接続される。シャットオフバルブ４２が全開位置へ移動して浄水システムへの水道水の流入を再開するときにリードスイッチ６６が閉じると、充電回路７２がバッテリ７２に接続される。この充電回路７２は、適当な電荷を発生するように働き、これはリードスイッチ６６が開くまで蓄積される。上記のように、リードスイッチ６６が開成移動は、シャットオフバルブ部材４４が逆浸透ユニット１２の中間サイクル状態を表す位置へ移動するのに応答して生じ、ここでシステムは実質的に全圧力で動作して浄化水を生成する。リードスイッチが開くと、充電回路はパルスを監視回路７４へ付与して、適当なテストパルスを水道水電極７６及び純粋な水の電極７８へ接続する。これらの電極は、図２に示すように、マニホールド２２内の流路に沿って適当な位置に便利に取り付けられる。監視回路７４は、流入水道水１４及び生成された浄化水の比較導電率を決定し、逆浸透ユニット１２の動作効率を監視する。
【００２８】
図５に示すように、監視回路７４により得られたテストの読みは、記憶及び後で表示するためにメモリ８０へ送られる。便宜上、監視回路７４は、この分野で知られた多数の形態のいずれをとることもでき、より詳細には、参考としてここに取り上げる米国特許第５，０５７，２１２号及び第５，１４５，５７５号、並びに米国特許出願第９６１，７６７号に開示された監視回路でよい。メモリ８０に記憶されたテストの読みは、インジケータライト８２のような適当な信号によりその後及び周期的に表示される。本発明の好ましい形態によれば、給水弁１８を開くときのように純粋な水が付与されるたびにディスプレイがトリガーされ、これは、流れスイッチ８４等によりメモリ８０を対応的にトリガーし、適当なインジケータライト８２の付勢により記憶されたテストの読みを表示させる。一例として、メモリに記憶された導電率テストの読みが浄化水の受け入れられる水質を指示するときに緑のインジケータライトを点灯することができる。これに対して、テストの読みが受け入れられない水質を指示するときには黄色のインジケータライトを点灯することができる。水質が受け入れられないときには、通常は、逆浸透膜３２を交換することにより適切なシステム性能が回復される。
【００２９】
又、水質監視装置２０は、好ましい形態では、矯正操作が所望又は必要とされる他のシステム状態を信号するようにインジケータライト８２を動作するように構成される。より詳細には、重要なシステム状態を表す補助入力を受け取るライト駆動回路８６によってインジケータライト８２の列が作動される。図５に示すように、前置フィルタ段２４の下流側の水道水圧力を指示する１つの補助入力が圧力センサ又はスイッチ８８から得られる。この圧力が実質的に詰まった前置フィルタカートリッジ３０（図２）を表す所定レベルまで下降したときに、ライト駆動回路８６は、例えば、全てのライトを同時に点灯することにより、インジケータライト８２を既知の仕方で動作するように応答する。
【００３０】
又、ライト駆動回路８６は、バッテリ７０からの入力も受け取る。検出されたバッテリ電圧がスレッシュホールドレベルよりも下がりバッテリ７０を交換する必要があることを指示するときには、駆動回路８６は、例えば、テストの読みを通常に表示すべきときにいかなるライトの点灯も防止することにより低バッテリ電力を表す仕方でインジケータライトを制御するよう応答する。
【００３１】
ライト駆動回路８６への別の入力は、導入シャットオフバルブ１２を閉じることなく給水弁１８を開くことによって流れスイッチ８４が操作される回数をカウントするカウンタ９０から得られる。この点について、シャットオフバルブ４２を周期的に閉じることなく浄水システム１０を長期間動作することは、通常は、シャットオフバルブ４２の機械的な故障を指示する。従って、カウンタ９０は、この状態が生じたときにライト駆動回路８６に信号を送り、例えば、赤のインジケータライトを点灯することによりインジケータライトを既知のやり方で動作する。
【００３２】
図７ないし１０は、上記の機能的動作特徴に基づく好ましい回路実施において水質監視装置２０を示している。しかしながら、当業者であれば、これらの機能的な特徴は、種々の異なる回路構成で実施できることが理解されよう。
【００３３】
より詳細には、図３に示すように、導入シャットオフバルブ４２が閉位置から全開位置へ最初に移動すると、シャトルピストン６２の磁石６４が変位してリードスイッチ６６を閉位置へリセットする。図７に示すように、リードスイッチ６６が閉じると、監視回路をバッテリ７０へ接続し、キャパシタＣ５をバッテリ電圧に対応する電圧レベルに充電する。この回路は、シャットオフバルブの機械的な反動や反発が充電回路７２の動作に影響しないように充分長い時間にわたってキャパシタＣ５を充電するように構成される。
【００３４】
その後に、上記のように、逆浸透ユニット１２の中間サイクル動作中にリードスイッチ６６が開いたときに、キャパシタＣ５に蓄積された電荷がナンドゲートＵ５Ｃ及び抵抗Ｒ２を経て放電され、ナンドゲートＵ５Ｃの出力をパルスとしてフリップ−フロップＵ４Ａのセットピンへ付与する。このセットパルスは、フリップ−フロップＵ４Ａをセットするように働き、「Ｑ」出力は高レベルとなり、そして「ノットＱ」出力は低レベルとなる。「ノットＱ」の低レベル出力は、トランジスタＱ３を「オン」状態にバイアスし、バッテリ７０を電圧レギュレータＵ６の入力に接続する。この電圧レギュレータＵ６は、図示されたように、回路部品に印加される電圧を約５ボルトの一定レベルに調整する。フリップ−フロップＵ４Ａの高レベル出力は、ダイオードＤ３を「オフ」状態にし、これにより、クロックＵ５Ｂ、Ｕ５Ａを「オン」状態に切り換える。又、フリップ−フロップＵ４Ａの同じ「Ｑ」高レベル出力によりカウンタＵ２もリセットされる。
【００３５】
導電率の読みを得るためのテストパルスを発生する監視回路７４は、フリップ−フロップＵ３Ａ、Ｕ３Ｂ及びクロックＵ５Ｂ、Ｕ５Ａで構成される。フリップ−フロップＵ３Ａの「Ｑ」出力は水道水電極７６に接続され、そしてフリップ−フロップＵ３Ｂの「Ｑ」出力は純粋な水の電極７８に接続される。電圧レギュレータＵ６の出力キャパシタＣ８は、リードスイッチ６６が開いているときに、調整された電圧出力に達する前の約６ミリ秒の短い時間内に充電する。従って、これら電極に付与されるテストパルスを発生するフリップ−フロップＵ３Ａ、Ｕ３Ｂは、約１０ミリ秒間リセット状態に保持され、この時間は、キャパシタＣ１がフリップ−フロップＵ３Ａ、Ｕ３Ｂをリセットするには不充分な電圧レベルまで充電する時間を構成する。又、この短い時間遅延は、クロックＵ５Ｂ、Ｕ５Ａがオンになって安定化できるようにする。約１０ミリ秒のこの短い間隔の終わりにフリップ−フロップＵ３Ａ、Ｕ３Ｂはアクティブになる。第１クロックサイクルはフリップ−フロップＵ３Ａの「Ｑ」出力を高レベルに至らしめ、一方、フリップ−フロップＵ３Ｂの「Ｑ」出力を低レベルに保持し、これにより、純粋な水の電極７８を水道水電極７６に対して負にする。第２のクロックサイクルは、フリップ−フロップＵ３Ｂの「Ｑ」出力を高レベルに至らしめ、２つのフリップ−フロップＵ３Ａ、Ｕ３Ｂの「Ｑ」出力間の電位がゼロとなるようにする。第３のクロックサイクルは、フリップ−フロップＵ３Ａの「Ｑ」出力を低レベルに至らしめ、従って、純粋な水の電極７８を負の水道水電極７６に対して正にする。第４のクロックサイクルは、フリップ−フロップＵ３Ｂの「Ｑ」出力を低レベルに至らしめ、電極７６、７８間の電位をゼロにする。
【００３６】
第１クロックサイクルにおいて電極７６、７８を通る負のパルスは、導電率の読みを得ることに関して無視される。電極７８に付与されるパルスが正であるときには、このパルスは、抵抗Ｒ４、Ｒ５及び調整可能なポテンショメータＴＲ１により定められた電圧分割回路にも付与される。該ポテンショメータＴＲ１は、比例電圧即ち比較電圧を比較器Ｕ１Ｂの負の端子に付与するようにセットされ、その正の端子は共通電極９２に接続される。純粋な水及び水道水の比例導電率の読みを表す比較電圧が、ポテンショメータＴＲ１の調整により選択された基準点を越えるときには、比較器の出力が高レベルとなり、純粋な水の生成が受け入れられない水質であることを指示する。逆に、比較器Ｕ１Ｂに印加される比較電圧が基準より低い場合には、比較器Ｕ１Ｂの出力が低レベルであり、生成された浄化水の状態が受け入れられるものであることを指示する。
【００３７】
比較器Ｕ１Ｂの出力側でのテストの読みは、正のテストパルスの時間巾の間にフリップ−フロップＵ４Ｂのデータ入力に接続される。テストパルスが終わりになると、フリップ−フロップＵ３Ｂの「Ｑ」出力は低状態に切り換わり、トランジスタＱ２を「オフ」にし、これは次いで正のクロック縁パルスをフリップ−フロップＵ４Ａ、Ｕ４Ｂへ付与させる。その結果、フリップ−フロップＵ４Ｂにデータが記憶される。より詳細には、フリップ−フロップＵ４Ｂのデータ入力ピンへの信号が低レベルであって、受け入れられる水質を指示する場合には、フリップ−フロップＵ４Ｂの状態が不変のままである。しかしながら、データ信号が高レベルであって、受け入れられない水質を指示する場合には、クロックパルスがフリップ−フロップＵ４Ｂの状態を変化させ、その出力「Ｑ」は高レベルとなりそして出力「ノットＱ」は低レベルとなる。
【００３８】
上記のクロックパルスは、フリップ−フロップＵ４Ａのデータ入力ラインにも供給される。このクロックパルスは、フリップ−フロップＵ４Ａの「Ｑ」出力を低レベルに至らしめそして「ノットＱ」出力を高レベルに至らしめ、従って、トランジスタＱ３からバイアスを除去し、このトランジスタＱ３を「オフ」状態に切り換える。トランジスタＱ３が「オフ」になると、電圧レギュレータＵ６はバッテリ７０から切り離され、これで、監視回路は「オフ」状態になる。
【００３９】
給水弁１８を開いて貯水槽１６から水を配水することによりシステムから水が引き出されると、流れスイッチ８４が回路をバッテリ７０に接続し、キャパシタＣ２を充電させる。これは瞬間的にバッテリ電圧をナンドゲートＵ５Ｄの入力に印加させる。この電圧がナンドゲートＵ５Ｄのスレッシュホールド電圧を越える間に、ナンドゲートＵ５Ｄの出力は低レベルとなって、トランジスタＱ３を「オン」状態にバイアスする。従って、この場合も、バッテリ７０がトランジスタＱ３により電圧レギュレータＵ６に接続され、これにより、電圧レギュレータ及び他の回路部品をオンにする。
【００４０】
抵抗Ｒ８、Ｒ２３及びＲ９、Ｒ２８を含む一対の電圧分割器は、増幅器Ｕ１Ｄに接続されて、ディスプレイ回路をバイアスすると共に、低バッテリ電圧状態の指示も与える。この点について、バッテリが受け入れられる電圧レベルにあるときには、増幅器Ｕ１Ｄの出力が低レベルとなって、別の電圧分割器Ｒ１０、Ｒ２４を作動する。この電圧分割器は、比較器Ｕ１Ａ及びＵ１Ｃに接続されたＲ１０とＲ２４との間に接合点を有し、ディスプレイ回路の基準電圧を形成する。これら２つの比較器の他の端子は、上記のように、テストの読みデータが記憶されたフリップ−フロップＵ４Ｂの「Ｑ」及び「ノットＱ」出力に各々接続される。この記憶されたデータが受け入れられる水質を指示する場合には、フリップ−フロップＵ４Ｂの「Ｑ」出力は低レベルであり、そしてフリップ−フロップＵ４Ｂの「ノットＱ」出力は高レベルである。この構成では、黄色のインジケータライトがディスエイブルされそして緑のインジケータライトがイネーブルされて、既に記憶されたテストの読み、即ちシステムの動作性能が受け入れられる範囲内にあることを目に見えるように指示する。これとは逆に、フリップ−フロップＵ４Ｂの出力「Ｑ」及び「ノットＱ」の信号の性質が逆転されて、受け入れられない水質状態を指示するときには、緑のインジケータライトがディスエイブルされそして黄色のインジケータライトがイネーブルされ、受け入れられないシステム性能を指示する。
【００４１】
バッテリ電圧が、受け入れられない低いレベルに減少したことが電圧分割器Ｒ９、Ｒ２８及びＲ８、Ｒ２３によって決定されると、比較器Ｕ１Ｄの出力が高レベルになる。この出力は比較器Ｕ１Ａ及びＵ１Ｃに接続され、給水弁が開けられたときに、記憶されたテストデータに関わりなく、黄色及び緑色のライトを効果的にディスエイブルし、その点灯を防止する。従って、テストの読みを通常通りに表示すべきときには、点灯されるライトがないことが、バッテリを交換する必要があることを指示する。
【００４２】
前置フィルタ段２４の放出ポート４６に配置された前置フィルタ段２４の圧力スイッチ即ちセンサ８８は、検出された圧力が前置フィルタカートリッジ３０を交換する必要があることを指示するときに閉じる。この圧力スイッチは回路の共通点（接地点）を比較器Ｕ１Ａ及びＵ１Ｃのプラス端子に接続し、両比較器が低レベル出力をもつようにさせ、これにより、給水弁が開いたときに黄色及び緑色のインジケータライトの両方をイネーブルする。従って、両方のライトが点灯されると、ディスプレイは、前置フィルタカートリッジ３０を交換しなければならないことを指示する。
【００４３】
カウンタ９０は、リードスイッチ６６がオフサイクルの終わりに全開位置へ復帰移動することなく、給水弁１８が開く際に流れスイッチ８４が閉じる回数をカウントするための回路の一部として設けられている。上記のように、流れスイッチ８４が閉じそしてキャパシタＣ２が充電すると、ナンドゲートＵ５Ｄは低レベル出力を発生する。その結果、キャパシタＣ６は、抵抗Ｒ１９を経て放電し、カウンタ９０（Ｕ２）のクロック入力が１カウント増加する。カウンタ９０は、給水弁が開くたびに増加するが、システムオフサイクルに続いて水道水の流れが再開した際にリードスイッチ６６が開いたときにゼロにリセットする。好ましい形態において、カウンタ９０がリセットの前に１２８まで増加すると、赤色のインジケータライトがイネーブルされ、システム欠陥が生じたという可視指示を与える。ほとんどの場合に、この欠陥は、導入シャットオフバルブの機械的な故障に起因し、カウンタ９０に累積される合計は、閉位置へサイクルせずにシャットオフバルブが開いたままとなっている時間を表す。換言すれば、カウンタは、本質的に、シャットオフバルブの開放移動をマークするためのタイマーとして働き、シャットオフバルブが開いたままでいる時間を計時し、これにより、シャットオフバルブが適度な時間内に閉位置へサイクルしない場合には適当な信号を発生する。もちろん、このシステム機能を与えるのに別の計時方法及び装置を使用することができる。
【００４４】
バッテリスイッチ７３（図７）は、システムの初期設置のために便宜上設けられたもので、中間サイクル状態における実際の導電率の読みを保留して、受け入れられる水質を指示する状態に監視回路７４をセットする。バッテリスイッチ７３は通常は閉じており、抵抗Ｒ３０及びキャパシタＣ９（図９）を経てフリップ−フロップＵ４Ｂのリセットピン１０に電力を接続する。キャパシタＣ９の短い充電時間の後に、ピン１０に印加される電圧は低レベルとなり、監視回路７４は流れスイッチ８４が閉じたときに緑のインジケータライトを付勢する。それ故、初期システム設置中に、回路は、バッテリスイッチ７３を開閉することにより受け入れられる水質を指示するようにセットすることができ、従って、緑のインジケータライトが作動することを確認することができる。もちろん、その後の通常の繰り返しシステム動作中に、インジケータライトは、実際の導電率テストの読みに基づいて付勢される。
【００４５】
図１１は、配水フィッティング４０（図１及び２）から給水弁１８へと通じる配水流路に沿って設置された流れスイッチ８４のための１つの好ましい形態を示している。流れスイッチ８４は、スプリング負荷されたポペット１０２を備え、これは、給水弁１８又は他の配水器具が開けられて配水流を開始するときに流れポート１０４に対して開位置へ移動する。ポペット１０２の移動又は変位の程度は、配水流路を通る体積流量の直接的な関数である。
【００４６】
ポペット１０２は、ガイドステム１０６にスライド式に支持され、このガイドステムは、ポペットの背面の盲穴１１０に取り付けられたリードスイッチ１０８等を有する。ポペット１０２が開位置へ移動すると、ポペットに支持された磁石１１２がリードスイッチ１０８上を充分に変位して、リードスイッチを閉じ、バッテリ電源から流量監視回路１１４へ電力を供給する。このように付勢される監視回路１１４は、磁石１１２の位置を監視することによりポペットを追跡することのできるホール効果トランスジューサのようなポペット位置検出器１１６から信号を受け取る。光学センサのような別のポペット位置センサを使用することもできる。いずれにせよ、位置センサ１１６は、開放時にポペットの位置に関する信号を流量監視回路１１４へ送り、配水される実際の水量の継続累積値を導出できるようにする。流量監視回路１１４は、図１１に示すようにライト駆動回路８６に適当に接続され、所定量の純粋な水が出されたことを指示するようにインジケータライトを付勢する。これが生じたときには、前置フィルタ段２８のフィルタカートリッジ３６を交換する必要があるか又は交換するのが望ましい。
【００４７】
かくて、本発明は、逆浸透ユニット１２が実質的に最大の性能レベルで動作している時間中に全ての導電率テストの読みが得られるような改良された水質監視回路及びシステムを提供する。これらテストの読みは、最適レベルより低い性能レベルにある動作時間中、例えば、オフサイクルに続いてシステムへの水道水の流れが再開された直後や、オフサイクルの始めに導入シャットオフバルブが閉じる直前に得られるのではない。むしろ、導電率テストの読みは、実質的に中間サイクル動作状態の間に得られる。これらの読みは、水を出すために給水弁が開けられるたびに、記憶されそしてその後に好ましい形態で表示される。
【００４８】
本発明の改良された導電率監視装置に対する更に別の種々の変更や改良が当業者に明らかであろう。例えば、監視装置２０は、貯水槽内の水位検出器に応答して充電回路７２を作動することにより逆浸透ユニット１２の中間サイクル状態にテストの読みを得るように種々のトリガー信号によって動作できることが認識され理解される。更に、メモリに保持されたテストの読みを表示するための別の手段、例えば、記憶されたテストの読みを規則的なタイミング間隔で表示するためのクロック手段を設けることもできる。従って、以上の説明及び添付図面は、本発明を何ら限定するものではなく、本発明は、特許請求の範囲のみによって限定されるものとする。
【図面の簡単な説明】
【図１】本発明の新規な特徴を組み込んだ浄水システム及びそれに関連した水質監視装置を示す部分概略全面斜視図である。
【図２】一般的に図１の２−２線に沿った拡大部分縦断面図である。
【図３】一般的に図２の一部分に対応する拡大部分縦断面図であって、導入シャットオフバルブを全開位置で示す図である。
【図４】一般的に図３と同様の拡大部分縦断面図であって、導入シャットオフバルブを部分的に閉じた位置で示す図である。
【図５】図１ないし４の浄水システムに使用する水質監視装置を示すブロック回路図である。
【図６】図７ないし１０をいかに配置するかを示す図である。
【図７】本発明の１つの好ましい形態を詳細に示す回路図の一部分である。
【図８】本発明の１つの好ましい形態を詳細に示す回路図の一部分である。
【図９】本発明の１つの好ましい形態を詳細に示す回路図の一部分である。
【図１０】本発明の１つの好ましい形態を詳細に示す回路図の一部分である。
【図１１】本発明に用いる改良された流れスイッチを若干概略的な形態で示す部分断面図である。
【符号の説明】
１０  浄水システム
１２  逆浸透ユニット
１４  水道水供給管
１６  貯水槽
１８  給水弁
２０  水質監視装置
２２  一体化マニホールド
２４、２６、２８  処理段
３０  前置フィルタカートリッジ
３２  逆浸透半透過膜
３６  後置フィルタカートリッジ
４２  シャットオフバルブ
４４  バルブ部材
４７  圧力チャンバ
４８  圧力ポート
４９  嚢
５４  環状弁座
６０  リセットスイッチ
６２  シャトルピストン
６４  磁石
６６  リードスイッチ
６８  スプリング
７０  バッテリ
７２  充電回路
７４  監視回路
７６  水道水電極
７８  純粋な水の電極
８０  メモリ
８２  インジケータライト
８４  流れスイッチ
９０  カウンタ
【図１】
0003590664.tif 000002
【図２】
0003590664.tif 000003
【図３】
0003590664.tif 000004
【図４】
0003590664.tif 000005
【図５】
0003590664.tif 000006
【図６】
0003590664.tif 000007
【図７】
0003590664.tif 000008
【図８】
0003590664.tif 000009
【図９】
0003590664.tif 000010
【図１０】
0003590664.tif 000011
【図１１】
0003590664.tif 000012